(57)【要約】【課題】新聞形式による製本書籍を提供する。【解決手段】本考案の新聞形式による製本書籍は、特に、保存価値があまりなく、再読書率が比較的低い書籍に適用し、新聞形式レイアウトにより、一枚、或いは、数枚を畳折して製本し、展開すれば容易に閲読でき、公知の装丁のように、糊、ステープラー、糸の使用が不要で、それに必要なコストを減少させて、大幅に、コストと販売価格を抑制し、読者の購買意欲及び能力を向上して、知識の流通と情報取得に対し助益できるものである。【選択図】図３
0003107651.tif 000002
【実用新案登録請求の範囲】
【請求項１】
新聞形式による製本書籍であって、新聞形式レイアウト方式を採用し、書籍内容を割り付けレイアウトして、順に、用紙に印刷し、同一の用紙に、同時に、多ページの書籍内容を記載し、規定規格に畳折し、閲読時、順に、展開するだけで閲読が可能な構成にするより、コストと販売価格を大幅に減少できることを特徴とする新聞形式による製本書籍。
【請求項２】
前記書籍は、一枚、或いは、数枚を畳折して製本することを特徴とする請求項１に記載の新聞形式による製本書籍。
【請求項３】
新聞式レイアウト印刷、及び、畳折製本の設計により、特に、再閲率が比較的低い幼児書や、絵本、自然科学、識字絵本等の書籍に適用することを特徴とする請求項１に記載の新聞形式による製本書籍。
【考案の詳細な説明】
【技術分野】
【０００１】
本考案は、印刷面を新聞形式に折り畳んだ状態にした製本書籍に関するものであって、特に、書籍内容が新聞形式レイアウトを採用し、一枚、或いは、数枚を折り畳み、展開すれば容易に読書できるようにし、従来公知の装丁方式で生じる膨大なコストを減少させ、保存価値があまりなく再読書率が比較的低い書籍に適用し、コストと販売価格を抑制する新聞形式による製本書籍に関するものである。
【背景技術】
【０００２】
一般の幼児書、絵本、自然科学の本、識字用絵本、漫画等の書籍は、通常、読書後、どこかに収納されたままになったり、回収業者に売られたりして、再び取り出されて読まれる再読書率は非常に低く、保存価値がほとんどないものである。
【０００３】
一般の書籍は装丁において、大まかに、（１）糊綴じ装丁（図１で示される）と（２）ステープラー（針綴じ込み）や糸綴じ装丁（図２で示される）の二つに分けられる。
どのような装丁方式であっても、通常は、内容をページレイアウト印刷により、順に積層した後、糊付け機により、糊を一側に塗布して、表紙を貼り付けて完成するか、或いは、装丁機により、ステープラーで留めるか糸で綴じるようにしている。
このように、高価な装丁機を購入し、作業時間を費やし、装丁にはその他の消耗材も必要でコストが嵩む等、従来公知の書籍装丁製本方式は、製版及び印刷作業上、煩雑である。更に、装丁作業により生じる膨大な設備コスト、作業時間等、諸々の問題があり、製造コスト全体を増加して、書籍の販売価格にも影響を与える。
【０００４】
一般に、保存価値があり再読書率の比較的高い、或いは、ページ数の多い小説、エッセイ、百科事典、或いは、精装本等の書籍に対しては、保存性や繰り返しページをめくって閲読する際の構造の安定性を考慮して、堅固な装丁作業が必要とされる。このような装丁作業が生じるコストにより、書籍の販売価格も必然的に高くなる。
しかし、一般に販売されている価格が比較的廉価な幼児書、絵本、自然科学の本、漫画など、ページ数が少なく、保存価値がそれほどなく、再読書率が低い書籍には、高い装丁コストがその販売価格に直接影響するため、上記のような装丁方法を採用すると、購買意欲を失わせることにもなりかねない。  
【０００５】
そうなれば、販売部数も伸びず、結果、コスト回収不振となるため、書籍の値段を引き上げて利益を得ようとし、必然的に販売価格が高くなり、非常に悪循環である。特に、経済的に余裕のない家庭の子供は書籍を購入することが困難になり、余裕のある家の子供と比べると、書籍から得る情報の取得において不利で、不公平な状況が発生する。
つまり、現在の幼児書や絵本、自然科学の本や、識字用絵本や、漫画等の、再読書率が低くて保存価値があまりないと思われる書籍の販売価格が高いとしても、その購入に対して余裕のある家庭にとっては大きな負担とはならないが、経済的に困難な家庭の子供にとっては、書籍にお金をかける余裕が無く、経済力や貧富の差が知識や情報の取得において大きな落差を生じせしめることとなり、学識養成や情報取得上での不公平を引き起こすと共に、都市部と地方といった地域間での差で子供たちの知識水準に差がでる可能性もあり、「富める者は更に富み、貧者は更に貧しくなる」という階級差が生じて、社会、国家の不安現象を招くことにもなりかねない。
【考案の開示】
【考案が解決しようとする課題】
【０００６】
本考案は、新聞形式による製本書籍を提供し、主に、書籍内容の創新レイアウト方式により、簡単な畳折方式で製本し、装丁作業やコストを減少させて、書籍のコストダウンを図り、販売価格を低下して、多くの読者の購買意欲を高め、都会の子供とそれ以外の地域の子供に、平等な情報取得機会を与えることを目的とする。
【０００７】
本考案は、書籍内容の新聞形式レイアウトにより、一枚、或いは、数枚を畳折して製本し、展開すれば容易に閲読でき、従来公知の装丁方式で生じる膨大なコストを減少させ、保存価値があまりなく、再読書率が比較的低い書籍に適用し、知識の伝達と利用性のほか、経済効果と、情報取得の公平性を兼ね備える新聞形式に製本する書籍を提供することをもう一つの目的とする。
【０００８】
本考案は、新聞形式レイアウトにより、装丁作業が軽減され、全体のコストと販売価格を抑制し、読者の購買意欲と能力を向上して、販売量を増加し、業者の業績と利益を増加することを更なる目的とする。
【０００９】
本考案は、書籍内容の創新レイアウト、及び、印刷手法により、無駄なコストを排除し、全体のコストと販売価格を抑制し、全ての子供に、知識と情報の取得において、平等な機会を与え、購買力に余裕を有する都会と、それ以外の地域の購買力の格差を縮小し、且つ、経済上の貧富の差による知識と情報の獲得を阻害しないようにすることを最後の目的とする。
【課題を解決するための手段】
【００１０】
上述の問題を解決するため、本考案の新聞形式による製本書籍は、新聞形式レイアウト方式を採用し、書籍内容を割り付けレイアウトして、順に用紙に印刷し、同一の用紙内に、同時に多ページの書籍内容を記載し、規定規格に畳折し、読書時に順に展開するだけで読書が可能な構成にすることにより、製本コストを引き下げて、販売価格を大幅に減少できることを特徴とする。
【００１１】
また、請求項１に記載の新聞形式による製本書籍において、前記書籍は、一枚、或いは、数枚を畳折して製本することを特徴とする。
さらに、請求項１に記載の新聞形式による製本書籍において、新聞式レイアウト印刷、及び、畳折製本の設計により、特に、再閲率が比較的低い幼児書や、絵本、自然科学、識字絵本等の書籍に適用することを特徴とする。
【考案の効果】
【００１２】
従来公知の装丁製本方式に代えて、本考案による書籍内容の新聞形式レイアウトを採用することにより、装丁作業と製本コストが省かれ、書籍のコストと販売価格を抑えられるることにより、読者の購買意欲が向上するので、情報伝達効果を達成することが出来る。
【００１３】
書籍内容の新聞形式レイアウトにより、一枚、或いは、数枚を畳折して製本し、展開すれば容易に閲読が出来るようになるので、これにより、保存価値がそれほどなく再読書率が低い書籍に適用して、知識の伝達と利用性を高めるほか、経済効果とも、情報取得の公平性も得ることができるようになる。
【００１４】
書籍内容の新聞形式レイアウトにより、不要な装丁作業とコストが省かれ、書籍の製本コストと販売価格が減少するので、読者の購買意欲が向上し、その結果、販売業者の業績が上がり、利益が増加する、ということにつながる。
【００１５】
書籍内容の新聞形式レイアウトと畳折により製本し、装丁作業と製本コストが省かれ、書籍のコストと販売価格を抑え、家計に負担を課さず、人々に多くの読書機会を与え、購買力が高い都会部と比較的そうではない地方間の地域格差及び経済格差による教育格差問題を縮減することができる。
【考案を実施するための最良の形態】
【００１６】
以下、添付図面を参照して本考案の好適な実施の形態を詳細に説明する。
【実施例１】
【００１７】
図３、図４は本考案の好ましい第１実施例を示し、主に、書籍に掲載したい内容を、適当な大きさの紙１０にレイアウトし、図で示されるように、紙１０は大きさが等しい数個の領域１１に分割されると共に、領域１１の相隣する箇所に、折線１２を予設し、紙１０が分割する領域１１を利用して、書籍内容をページ割り付けレイアウトし、順に、領域１１内に印刷する。
【００１８】
更に、折線１２の分割により、紙１０を適当な大きさに畳折し、表紙１３が最も外側にくるように配置する。読者は書籍内容を閲読したい時、紙１０を展開し、順に閲読すればよい。これにより、装丁が不要な書籍構造が達成される。
【実施例２】
【００１９】
次に、図５は、本考案のもう一つの好ましい第２実施例で、図で示されるように、本考案は、上述の第１実施例中で開示された、書籍内容全てを単一の用紙に印刷して製本する実施形態以外に、書籍内容が多い場合、それぞれ、何枚かの紙１０にレイアウト印刷し、適当な頁を標注した後、数枚の紙１０を畳折して製本する。これも、前記実施例と同様、装丁を必要とせず、読者は書籍内容を順に、閲読し、閲読に困難な事態は発生しない。
【００２０】
上述のように、本考案の最大の創意としては、現有の書籍が糊付け、或いは、ステープラー或いは糸綴じの方式により生じるコストの問題を改善することで、保存価値がそれほどなく、再読書率が低い書籍に対し、従来公知の書籍のページレイアウト印刷に代えて、装丁作業が不要で、簡単な畳折により、本考案の新聞形式書籍形態が得られるものである。
【００２１】
本考案の長所は以下の通りである。
（１）  書籍内容の新聞形式レイアウトにより、従来公知の装丁製本方式に代えて、装丁作業とコストが省かれ、書籍のコストと販売価格を抑えることにより、読者の購買意欲が向上するので、情報伝達効果を達成することが出来る。
（２）  書籍内容の新聞形式レイアウトにより、一枚、或いは、数枚を畳折して製本し、展開すれば容易に閲読が出来るようにしたので、これにより、保存価値がそれほどなく再読書率が低い書籍に適用すれば、知識の伝達と利用性のほか、経済効果と、情報取得の公平性が得られる。
（３）  書籍内容の新聞形式レイアウトにより、不要な装丁作業と製本コストが省かれ、書籍のコストと販売価格が減少するので、読者の購買意欲が向上する結果、業者の業績も利益も増加することになる。
（４）  書籍内容の新聞形式レイアウトと畳折により製本することで、装丁作業と製本コストが省かれ、書籍のコストと販売価格を抑えることととなり、これにより、家計にあまり負担を掛けずに、人々に多くの読書機会を与え、購買力が高い都会とそれ以外のそうでもない地域での地域格差及び経済格差による教育格差問題を縮減することができる。
【００２２】
上述のように、本考案の新聞形式による製本書籍は、保存価値があまりなく再読書率が比較的低い書籍を、新聞形式レイアウトして、畳折製本し、書籍のコストと販売価格を抑え、従来公知の装丁のような装丁コストや販売価格問題を改善し、書籍購買意欲を向上させ、その結果、書籍販売量が増加することにより、知識伝達、情報取得の公平性が達成されるため、産業上の利用価値及び経済効益が非常に高い設計である。
【図面の簡単な説明】
【００２３】
【図１】従来公知の接着式装丁書籍を示した説明図である。
【図２】従来公知のステープラー装丁書籍を示した説明図である。
【図３】本考案の好ましい第１実施例の平面状態を示した説明図である。
【図４】本考案の好ましい第１実施例の畳折製本の構造を示した説明図である。
【図５】本考案のもう一つの好ましい第２実施例による構造を示した説明図である。
【符号の説明】
【００２４】
１０…紙
１１…領域
１２…折線
１３…表紙
【図１】
0003107651.tif 000003
【図２】
0003107651.tif 000004
【図３】
0003107651.tif 000005
【手続補正書】
【提出日】平成16年10月28日(2004.10.28)
【手続補正１】
【補正対象書類名】実用新案登録請求の範囲
【補正対象項目名】全文
【補正方法】変更
【補正の内容】
【実用新案登録請求の範囲】
【請求項１】
所望の大きさの紙の紙面上を、大きさが等しい複数の分割領域に区画し、かつ前記分割領域の相隣する箇所に折線を予設すると共に、前記分割領域に書籍内容がページ毎に割付して順に印刷されており、前記折線の分割及び折り畳みにより、表紙印刷部が最も外側にくるように紙面構成されてなる折畳み形式による製本書籍。
【請求項２】
前記所望の大きさの紙は、一枚或いは数枚を用いて折畳み製本するようにしたことを特徴とする請求項１に記載の折畳み形式による製本書籍。
【請求項３】
前記分割領域に印刷される記載内容は、再読書率が比較的低い幼児書、絵本、自然科学本、識字絵本、漫画等から選ばれた内容であることを特徴とする請求項１に記載の折畳み形式による製本書籍。
【手続補正２】
【補正対象書類名】明細書
【補正対象項目名】全文
【補正方法】変更
【補正の内容】
【考案の詳細な説明】
【技術分野】
【０００１】
本考案は、一枚の大きな紙面上に折線によって複数に区画した同一大きさの分割領域を設け、該分割領域に書籍の多ページにわたる記載内容をページ毎に割り付して順に印刷し、前記折線の分割及び折り畳みにより、表紙印刷部が最も外側にくるように紙面構成した折畳み形式による製本書籍に係り、特に、再読書率が比較的低い幼児書、絵本、自然科学本、識字絵本、漫画等に適用され、大きな紙を一枚或いは数枚を積層折畳みして構成することで、展開すれば容易に読書できるようにし、従来公知の装丁方式で生じる膨大なコストを減少させて、コストと販売価格を抑制することができるようにした折畳み形式による製本書籍に関するものである。
【背景技術】
【０００２】
一般の幼児書、絵本、自然科学本、識字用絵本、漫画等の書籍は、通常、読書後、どこかに収納されたままになったり、回収業者に売られたりして、再び取り出されて読まれる再読書率は非常に低く、保存価値がほとんどないものである。
【０００３】
一般の書籍における製本装丁は、大まかに、（１）糊綴じ装丁（図１で示される）と、（２）ステープラー（針綴じ込み）、或いは、糸綴じ装丁（図２で示される）の二つに分けられる。どのような装丁方式であっても、通常は、内容をページ毎のレイアウト印刷した後、順に、積層した後、糊付け機により糊を一側に塗布して、表紙を貼り付けて完成するか、或いは、装丁機により、ステープラーで留めるか、糸で綴じるようにしている。
このように、高価な装丁機を購入し、作業時間を費やし、装丁にはその他の消耗材も必要でコストが嵩む等、従来公知の書籍装丁製本方式は、製版、及び、印刷作業上、煩雑である。更に、装丁作業により生じる膨大な設備コスト、作業時間等、諸々の問題があり、製造コスト全体を増加して、書籍の販売価格にも影響を与える。
【０００４】
一般に、保存価値があり、再読書率が比較的高い、或いは、ページ数の多い小説、エッセイ、百科事典、或いは、精装本等の書籍にとって、保存性や繰り返しページをめくって閲読する際の構造の安定性を考慮して、堅固な装丁作業が必要とされる。このような装丁作業が生じるコストにより、書籍の販売価格も必然的に高くなる。
【０００５】
しかし、一般に販売されている価格が比較的廉価な幼児書、絵本、自然科学の本、漫画など、ページ数が少なく、保存価値がそれほどなく、再読書率が低い書籍にとって、高い装丁コストは、その販売価格に直接影響するため、上記のような装丁方法を採用すると、書籍の価格が高くなり読者が購買意欲を失うことになりかねない。  
そうなれば、販売部数も増加せず、製造コストの回収が困難になるので、販売価格が高くなり、非常に悪循環である。特に、裕福でない家庭の子供は書籍を購入することが困難になり、裕福な子供と比べると、情報の取得において、不利で、不公平な状況が発生する。
【０００６】
つまり、現有の幼児書、絵本、自然科学の本、識字用絵本、漫画等の、再読書率が低く保存価値がない書籍は、販売価格が高くても、裕福な家庭にとっては大きな負担とはならないが、裕福でない家庭の子供にとっては書籍にお金をかける余裕が無く、経済能力、及び、貧富の差が、知識や情報の取得において大きな落差を生じ、学識養成や情報の取得上の不公平を引き起こし、都市部とそうでない地域の子供たちの知識水準に差が出るだけでなく、「富める者は更に富み、貧者は更に貧しくなる」という階級差が生じて、社会国家の不安現象を招く。
【考案の開示】
【考案が解決しようとする課題】
【０００７】
本考案は、折畳み形式による製本書籍を提供し、主に、書籍内容の創新レイアウト方式により、簡単な畳折方式で製本し、装丁作業やコストを減少させて、書籍のコストダウンを図り、販売価格を低下して、多くの読者の購買意欲を高め、都会の子供とそれ以外の地域の子供に、平等な情報取得機会を与えることを目的とする。
【０００８】
本考案は、所望の大きさの紙の紙面を、大きさが等しい複数の領域に分割し、かつ前記分割領域の相隣する箇所に折線を予設すると共に、前記分割領域に書籍に掲載したい多ページにわたる内容をページ毎に割付して順に印刷し、前記折線の分割及び折り畳みにより、表紙印刷部が最も外側にくるように紙面構成し、書籍を展開すれば容易に閲読でき、従来公知の装丁方式で生じる膨大なコストを減少させ、保存価値があまりなく、再読書率が比較的低い書籍に適用し、知識の伝達と利用性のほか、経済効果と、情報取得の公平性を兼ね備える折畳み形式による製本書籍を提供することをもう一つの目的とする。
【０００９】
本考案は、大きな紙の紙面上を複数に分割してページ毎の記載内容をレイアウトしたことにより、装丁作業が軽減され、全体のコストと販売価格を抑制し、読者の購買意欲と能力を向上して、販売量を増加し、業者の業績と利益を増加することを更なる目的とする。
【００１０】
本考案は、書籍内容の創新レイアウト及び印刷手法により、無駄なコストを排除し、全体のコストと販売価格を抑制し、全ての子供に、知識と情報の取得において、平等な機会を与え、購買力に余裕を持つ都会と、それ以外の地域の購買力の格差を縮小し、且つ、経済上の貧富の差による知識と情報の獲得を阻害しないようにすることを最後の目的とする。
【課題を解決するための手段】
【００１１】
上述の問題を解決するため、本考案の折畳み形式による製本書籍は、所望の大きさの紙の紙面上を、大きさが等しい複数の分割領域に区画し、かつ前記分割領域の相隣する箇所に折線を予設すると共に、前記分割領域に書籍内容がページ毎に割付して順に印刷されており、前記折線の分割及び折り畳みにより、表紙印刷部が最も外側にくるように紙面構成されてなるものである。
【００１２】
請求項２の考案は、請求項１に記載の折畳み形式による製本書籍において、  前記所望の大きさの紙は、一枚或いは数枚を用いて折畳み製本するようにしたことを特徴とする。
【００１３】
請求項３の考案は、請求項１に記載の折畳み形式による製本書籍において、前記分割領域に印刷される記載内容は、再読率が比較的低い幼児書、絵本、自然科学本、識字絵本、漫画等から選ばれた内容であることを特徴とする。
【考案の効果】
【００１４】
本考案の折畳み形式による製本書籍によれば、所望の大きさの紙の紙面を、大きさが等しい複数の分割領域に区画し、かつ前記分割領域の相隣する箇所に折線を予設すると共に、前記分割領域に書籍に掲載したい多ページにわたる内容がページ毎に割付して順に印刷してなり、前記折線の分割及び折り畳みにより、表紙印刷部が最も外側にくるように紙面構成したので、従来公知の装丁製本方式を採用することなく、装丁作業が省かれることでコストが低減され、書籍のコストと販売価格を抑えることが可能となり、読者の購買意欲が向上するので、情報伝達効果を達成することが出来る。
【００１５】
また、大きな紙の紙面上に区画して書籍内容をページ毎に印刷した一枚或いは数枚を折畳み製本して書籍となし、展開すれば容易に閲読が出来る書籍としたので、製本費用が安価となり、保存価値がそれほどなく、再読書率が低い書籍に適用でき、知識の伝達と利用性のほか、経済効果と、情報取得の公平性を兼ね備える。
【００１６】
さらに、従来のような装丁作業が省略でき、書籍のコストが安価となるので、販売価格が安価で読者の購買意欲が向上し、業者の業績と利益が増加する。
さらにまた、装丁作業が省かれ、書籍のコストが安価となることで、販売価格を抑え、家計に負担を課さず、人々に多くの読書機会を与え、購買力が高い都会とそれ以外のそうでない地域及び経済格差による教育格差問題を縮減することができる。
【考案を実施するための最良の形態】
【００１７】
以下、添付図面を参照して本考案の好適な実施の形態を詳細に説明する。
【実施例１】
【００１８】
図３，図４は本考案の好ましい第１実施例を示し、主に、書籍に掲載したい記載内容が、所望大きさの紙１０の紙面上にレイアウトされ、図で示されるように、紙１０の紙面は大きさが等しい複数個の分割領域１１（実施例では４分割領域）に区画されると共に、分割領域１１の相隣する箇所に、折線１２を予設し、紙面上の分割領域１１を利用して、書籍内容がページ毎に割り付けしたレイアウトしてなり、順に分割領域１１内に印刷されている。
更に、前記折線１２の分割及び折畳みにより、表紙印刷部１３が最も外側にくるように製本する。読者は書籍内容を閲読したい時、紙１０を展開し、順に閲読すればよい。これにより、装丁が不要な書籍構造が達成される。
【実施例２】
【００１９】
次に、図５は、本考案のもう一つの好ましい第２実施例で、図で示されるように、本考案は、上述の第１実施例中で開示された、書籍内容全てを単一の用紙に印刷して製本する実施形態以外に、書籍内容が多い場合、それぞれ、何枚かの紙１０の紙面上にそれぞれ書籍内容をページ毎にレイアウト印刷し、適当な頁を標注した後、前記数枚の紙１０を折畳みして製本する。これも、前記実施例と同様、装丁を必要とせず、読者は書籍内容を順に、閲読し、閲読に困難な事態は発生しない。
【００２０】
上述の説明により、本考案の最大の創意としては、現有の書籍が糊付け、或いはステープラー、或いは糸綴じの方式により生じるコストの問題を改善し、保存価値がそれほどなく、再読書率が低い書籍に対し、従来公知の書籍のページ毎の内容をレイアウト印刷し、装丁作業が不要な状況下で、簡単な折畳みにより、本考案の折畳み形式による製本書籍が得られる。
【００２１】
本考案の長所は以下の通りである。
１）本考案の折畳み形式による製本書籍によれば、所望の大きさの紙の紙面を、大きさが等しい複数の分割領域に区画し、かつ前記分割領域の相隣する箇所に折線を予設すると共に、前記分割領域に書籍に掲載したい多ページにわたる書籍内容をページ毎に割付して順に印刷してなり、前記折線の分割及び折り畳みにより、表紙印刷部が最も外側にくるように紙面構成したので、従来公知の装丁製本方式を採用することなく、装丁作業が省かれることでコストが低減され、書籍のコストと販売価格を抑えることが可能となり、読者の購買意欲が向上するので、情報伝達効果を達成することが出来る。
２）大きな紙面上に区画して書籍内容がページ毎に印刷された一枚或いは数枚を折畳み製本して書籍となし、展開すれば容易に閲読が出来る書籍としたので、製本費用が安価となり、保存価値がそれほどなく、再読書率が低い書籍に適用でき、知識の伝達と利用性のほか、経済効果と、情報取得の公平性を兼ね備える。
３）従来のような装丁作業が省略でき、書籍のコストが安価となるので、販売価格が安価で読者の購買意欲が向上し、業者の業績と利益が増加する。
４）装丁作業が省かれ、書籍のコストが安価となることで、販売価格を抑え、家計に負担を課さず、人々に多くの読書機会を与え、購買力が高い都会とそれ以外のそうでない地域及び経済格差による教育格差問題を縮減することができる。
【００２２】
上述のように、本考案の折畳み形式による製本書籍は、保存価値があまりなく、再読書率が比較的低い書籍を、新聞形式レイアウトして、折畳み製本し、従来公知の装丁のような装丁コストや販売価格問題を改善し、購買意欲及び能力を向上し、販売量を増加し、知識伝達、情報取得の公平性を達成し、産業利用価値、経済効益が非常に高い設計である。
【図面の簡単な説明】
【００２３】
【図１】従来公知の接着式装丁書籍を示した説明図である。
【図２】従来公知のステープラー装丁書籍を示した説明図である。
【図３】本考案の折畳み形式による製本書籍の好ましい第１実施例の平面状態を示した説明図である。
【図４】本考案の折畳み形式による製本書籍の好ましい第１実施例の畳折製本の構造を示した説明図である。
【図５】本考案のもう一つの好ましい第２実施例による構造を示した説明図である。
【符号の説明】
【００２４】
１０…紙
１１…分割領域
１２…折線
１３…表紙
【手続補正３】
【補正対象書類名】図面
【補正対象項目名】図４
【補正方法】追加
【補正の内容】
【図４】
0003107651.tif 000006
【手続補正４】
【補正対象書類名】図面
【補正対象項目名】図５
【補正方法】追加
【補正の内容】
【図５】
0003107651.tif 000007